(57)【要約】【課題】本発明は、脚柱への装着あるいは脱着が短時間ででき、梯子固定具の締付け構造が緩んだ場合であっても、脚柱への取り付け位置が大きく移動することなく安全に使用できる梯子を提供する。【解決手段】本発明に係る梯子は、左右一対の脚柱と、これらの脚柱間に架設された筒状の踏桟と、梯子立掛対象物に対して前記脚柱を安定保持するための梯子固定具と、を備えた梯子であって、前記梯子固定具は、両端部に螺子溝が周設され、前記筒状の踏桟に挿通される連結軸と、前記連結軸の両端部にそれぞれ締結部材を介して基端が連結され、先端に前記梯子立掛対象物に係止するフックが形成された係止具と、前記連結軸を挿通する挿通孔を有し、前記脚柱にそれぞれ係合可能とするとともに、前記締結部材の座金を兼用する係合部材と、を備えることを特徴とする。【選択図】  図４
2011202363.tif 000002
【特許請求の範囲】
【請求項１】
左右一対の脚柱と、これらの脚柱間に架設された筒状の踏桟と、梯子立掛対象物に対して前記脚柱を安定保持するための梯子固定具と、を備えた梯子であって、
前記梯子固定具は、
両端部に螺子溝が周設され、前記筒状の踏桟に挿通される連結軸と、
前記連結軸の両端部にそれぞれ締結部材を介して基端が連結され、先端に前記梯子立掛対象物に係止するフックが形成された係止具と、
前記連結軸を挿通する挿通孔を有し、前記脚柱にそれぞれ係合可能とするとともに、前記締結部材の座金を兼用する係合部材と、
を備えることを特徴とする梯子。
【請求項２】
前記係合部材を、
前記挿通孔が形成された座金片の左右から係止片を立設して平面視略コ字状に形成したことを特徴とする請求項１記載の梯子。
【請求項３】
前記フックの中途に、梯子立掛対象物の梯子立掛面に対して前方から当接する当接部を形成したことを特徴とする請求項１又は２に記載の梯子。
【請求項４】
前記係止具の基端に、前記連結軸への取付角度を設定可能とした取付角度設定部を設けたことを特徴とする請求項１〜３のいずれか１項に記載の梯子。
【請求項５】
請求項１〜４のいずれか１項に記載の梯子を用いる梯子の立て掛け方法であって、
前記締結部材を緩め、前記係止具のフックを梯子立掛対象物に係止し、係止した状態で梯子の傾斜角度を含む立掛姿勢を決定し、決定した立掛姿勢を保持しながら前記締結部材により前記係止具を固着することを特徴とする梯子の立て掛け方法。
【発明の詳細な説明】
【技術分野】
【０００１】
本発明は、梯子固定具を備えた梯子に関する。
【背景技術】
【０００２】
従来、建物の壁において、作業車が壁の高所に登るために昇降用のアルミ梯子が用いられるのが一般的であり、壁に立て掛けてそのまま利用される。
【０００３】
このような使用状態の梯子では作業者にとって危険であり、安全上の問題があった。そこで、梯子固定具を左右の脚柱にそれぞれ取り付けた梯子が提案されている（例えば、特許文献１参照。）。
【先行技術文献】
【特許文献】
【０００４】
【特許文献１】特開平８−１３９６７号公報
【発明の概要】
【発明が解決しようとする課題】
【０００５】
しかしながら、上記梯子固定具では、左右の脚柱にそれぞれ取り付ける構造のために高さ位置をそれぞれ調整する必要があると共に、取り付け時間がかかる問題があった。また、梯子固定具は、脚柱のあらゆる高さ位置に挟持して取り付けられる反面、一度、一方の梯子固定具の締付け構造が緩んでしまうと、脚柱への梯子固定具の取り付け位置が大きくずれてしてしまう問題があった。
【０００６】
本発明は、斯かる事情に鑑みてなされたものであって、脚柱への装着あるいは脱着が短時間ででき、梯子固定具の締付け構造が緩んだ場合であっても、脚柱への取り付け位置が大きくずれることなく安全に使用できる梯子を提供することを目的とする。
【課題を解決するための手段】
【０００７】
上記従来の課題を解決するために、請求項１に記載の梯子は、左右一対の脚柱と、これらの脚柱間に架設された筒状の踏桟と、梯子立掛対象物に対して前記脚柱を安定保持するための梯子固定具と、を備えた梯子であって、前記梯子固定具は、両端部に螺子溝が周設され、前記筒状の踏桟に挿通される連結軸と、前記連結軸の両端部にそれぞれ締結部材を介して基端が連結され、先端に前記梯子立掛対象物に係止するフックが形成された係止具と、前記連結軸を挿通する挿通孔を有し、前記脚柱にそれぞれ係合可能とするとともに、前記締結部材の座金を兼用する係合部材と、を備えることを特徴とする。
【０００８】
請求項２に記載の梯子は、請求項１に記載の梯子において、前記係合部材を、前記挿通孔が形成された座金片の左右から係止片を立設して平面視略コ字状に形成したことを特徴とする。
【０００９】
請求項３に記載の梯子は、請求項１又は２に記載の梯子において、前記フックの中途に、梯子立掛対象物の梯子立掛面に対して前方から当接する当接部を形成したことを特徴とする。
【００１０】
請求項４に記載の梯子は、請求項１〜３のいずれか１項に記載の梯子において、前記係止具の基端に、前記連結軸への取付角度を設定可能とした取付角度設定部を設けたことを特徴とする。
【００１１】
請求項５に記載の梯子は、請求項１〜４のいずれか１項に記載の梯子を用いる梯子の立て掛け方法であって、前記締結部材を緩め、前記係止具のフックを梯子立掛対象物に係止し、係止した状態で梯子の傾斜角度を含む立掛姿勢を決定し、決定した立掛姿勢を保持しながら前記締結部材により前記係止具を固着することを特徴とする梯子の立て掛け方法。
【発明の効果】
【００１２】
請求項１の発明によれば、脚柱への装着あるいは脱着が短時間で行える効果がある。梯子固定具は、連結軸を踏桟に内挿して左右の係止具を１つの連結軸に取り付ける構造であるために、従来のような左右の係止具がそれぞれ別体で取り付けられる構造と比べて、左右係止具の取り付け高さ位置を一回の作業で揃えることができる。本梯子は、仮に梯子固定具の締付け構造が緩んだ場合であっても、従来のように一方の係止具のみが所定の取り付け位置から大きくずれることがなくなり、より安全に使用できる。
【００１３】
請求項２の発明によれば、前記係合部材を、前記挿通孔が形成された座金片の左右から係止片を立設して平面視略コ字状に形成したので、各脚柱に係合部材をそれぞれ係合した際に、これら係合部材を各締結部材の座金として用いることができる効果がある。梯子立掛対象物に梯子を取り付けた際には、係合部材の左右の係止片が各脚柱を挟持した状態となる。このような構造とすることで係合部材の座金片が係止具を固定するための座金としても機能して、左右の係止具が連結軸を中心に回動し易い効果がある。
【００１４】
請求項３の本発明によれば、前記フックの中途に、梯子立掛対象物の梯子立掛面に対して前方から当接する当接部を形成したので、梯子を梯子立掛対象物に立て掛けた際に、係止具の当接部が梯子立掛対象物の梯子立掛面に対して水平方向の力で押圧することとなる。このように係止具が側面押圧することにより、厚みのある壁部であっても梯子を安全に固定することができる効果がある。
【００１５】
請求項４の発明によれば、前記係止具の基端に、前記連結軸への取付角度を設定可能とした取付角度設定部を設けたので、左右脚柱に対して、係止具の取り付け角度を自由に設定することができる効果がある。
【００１６】
請求項５の発明によれば、前記締結部材を緩め、前記係止具のフックを梯子立掛対象物に係止し、係止した状態で梯子の傾斜角度を含む立掛姿勢を決定し、決定した立掛姿勢を保持しながら前記締結部材により前記係止具を固着するので、最適な立掛姿勢を短時間で得ることができ、作業者はその後の高所作業を安全にかつ円滑に行える効果がある。
【図面の簡単な説明】
【００１７】
【図１】本実施形態に係る梯子の使用状態を示す全体斜視図である。
【図２】本実施形態に係る梯子の使用状態を示す側面図である。
【図３】梯子固定金具を示す分解斜視図である。
【図４】梯子に梯子固定具を取り付け前の状態を示す断面図である。
【図５】梯子に梯子固定具を取り付けた状態を示す断面図である。
【図６】梯子固定具の係止具を示す平面図である。
【図７】変形例の係止具を備えた梯子を示す側面図である。
【図８】（ａ）梯子固定具の変形例を示す断面図である。（ｂ）梯子固定具の変形例を示す分解斜視図である。
【発明を実施するための形態】
【００１８】
本実施形態に係る梯子は、建物の壁に立て掛けて使用する際に、その壁の頂部に係合する梯子固定具を具備するものである。
【００１９】
その梯子の構造は、横断面略コ字状に形成した左右一対の脚柱と、前記脚柱に架設する筒状の踏桟と、着脱自在に取り付ける梯子固定具とを具備している。
【００２０】
梯子固定具は、両端部に螺子溝が周設した連結軸と、連結軸の両端部にそれぞれ締結部材を介して基端が連結され、先端に前記梯子立掛対象物に係止するフックが形成された係止具と、連結軸の両端部に締結する締結部材と、連結軸を挿通する挿通孔を有し、脚柱にそれぞれ係合可能とするとともに、締結部材の座金を兼用する係合部材と、を備えている。
【００２１】
係合部材は、挿通孔が形成された座金片の左右から係止片を立設して平面視略コ字状に形成している。
【００２２】
フックの中途には、梯子立掛対象物の梯子立掛面に対して前方から当接する当接部を形成するようにしてもよい。
【００２３】
係止具の基端には、連結軸への取付角度を設定可能とした取付角度設定部を設けるようにしてもよい。
【００２４】
本実施形態に係る梯子について、図面を参照しながら具体的に説明する。
【００２５】
図１は本実施形態に係る梯子の使用状態を示す全体斜視図、図２は本実施形態に係る梯子の使用状態を示す側面図、図３は梯子固定具を示す分解斜視図、図４は梯子に梯子固定具を取り付け前の状態を示す断面図、図５は梯子に梯子固定具を取り付けた状態を示す断面図、図６は梯子固定具のフックを示す平面図である。
【００２６】
図１〜図２に示すように、本実施形態に係る梯子Ａは、対向する左右一対の脚柱１,１と、これら左右の脚柱１,１間に架設された複数の踏桟２,・・,２を具備しており、主に軽量なアルミ合金材料により構成されている。
【００２７】
各脚柱１は、断面視外向きの略コ字状となるようにウェブ１１と同ウェブ１１の両側に一体的に形成されたフランジ１２,１２とから構成されており、その下端部には、滑り止め機能を有する脚座Ｂが設けられる。ウェブ１１には、所定間隔ごとに貫通孔１３，・・，１３が穿設されている。
【００２８】
踏桟２は、上部が偏平の筒状に形成されており、その両端は、脚柱１，１のウェブ１１，１１に挿通自在となるように周設されている。
【００２９】
この梯子Ａには、梯子立掛対象物に係止するための梯子固定具３が着脱自在に取り付けられている。
【００３０】
図３及び図４に示すように、梯子固定具３は、両端部に螺子溝３１ａ，３１ａが周設され、筒状の踏桟２に挿通される連結軸３１と、各螺子溝３１ａに係合しつつ係合部材３３を固定する固定用ナット３２と、連結軸３１の両端部にそれぞれ締結部材５０，５０を介して基端側が連結され、先端に梯子立掛対象物に係止するフック４１が形成された係止具４０と、左右の脚柱１，１にそれぞれ係合可能とするとともに締結部材５０の座金を兼用するコ字形状の係合部材３３，３３と、係止具４０を締結する締結部材５０とを備えている。
【００３１】
係合部材３３は、挿通孔３６が形成された座金片３４の左右両端に一体的に形成された係止片３５，３５を立設して平面視略コ字状に形成されている。この係止片３５，３５同士の間隔は、脚柱１のフランジ１２，１２同士の間隔より広くなるように構成している。例えば、係合部材３３の縦の長さ約４０ｍｍ、横の長さ約１２０ｍｍとし、その両端を約２０ｍｍ直角に折り曲げて係止片３５，３５とし、挿通孔３６の直径を約１５ｍｍとしている。例えば、連結軸３１の直径を約１２ｍｍ、全長を約５００ｍｍとしている。
【００３２】
図６に示すように、係止具４０には、先端側に大径のリングを分割状にしたフック４１と、基端側に連結軸３１を挿通するためのリング形状のリング４２とを形成している。フック４１は、足場用のパイプ材Ｐに係合し易くなるように、例えば内径を約８０ｍｍとしている。このリング４２の内径は、連結軸３１の直径より大径に形成されており、例えば、内径を約１５ｍｍとしている。
【００３３】
本例のフック４１の形状は、大径のリングを２分割状に形成しつつ先端側をさらに角度３０度伸延した形状である。このような形状の係止具４０を連結軸３１を中心に回転させた場合には、図２に示すように、係止具４０を脚柱１の長手方向に対して角度６０度ほど傾倒させることでフック４１が足場用のパイプ材Ｐに係合させることができる。
【００３４】
［梯子固定具の取り付け手順］
例えば、図１及び図２に示す上方から２段目に位置する踏桟２の両側の脚柱１，１に梯子固定具３を取り付ける手順について説明する。
【００３５】
図３及図４に示すように、連結軸３１の各螺子溝３１ａに係合部材３３の位置を固定する固定用ナット３２，３２を取り付ける。一端側（図３の左側）の螺子溝３１ａに、係合部材３３、係止具４０を順に取り付けて、最後にワッシャー及びナットからなる締結部材５０を締結することで、一方の係止具４０が連結軸３１に取り付けられた状態となる。
【００３６】
このように、連結軸３１の左側のみに係合部材３３や係止具４０等が取り付けられた状態で、連結軸３１の他端部を左側の脚柱１のフランジ１２に貫通した貫通孔１３から挿し入れ、さらに連通した踏桟２に内挿して、右側の脚柱１のフランジ１２の貫通孔１３から出す。
【００３７】
このとき、右側の脚柱１のフランジ１２の貫通孔１３から連結軸３１の他端部が所定の長さ突出しており、この突出した他端部を係合部材３３に挿通しつつ係合部材３３の係合片３５，３５が脚柱１のフランジ１２，１２を挟持することとなる。
【００３８】
次に連結軸３１の他端部を、係止具４０のリング４２のリング挿通孔４３に挿通して、連結軸３１の螺子溝３１ａに締結部材５０を締結する。すなわち、連結軸３１の他端側を、係合部材３３の挿通孔３６、係止具４０のリング４２に挿通して、締結部材５０を締結することにより左右脚柱１，１に梯子固定具３が取り付けられた状態となる（図５参照）。
【００３９】
連結軸３１の一端に係合部材３３や係止具４０等を取り付けた状態で、この連結軸３１の他端側を脚柱１の所定位置の貫通孔１３から挿通して、連結軸３１の他端側に右側の係合部材３３や係止具４０等を取り付けることができるために、短時間のうちに装着することができる。梯子固定具３は、左右の係止具４０，４０を連結軸３１に一体的に連結する構造のため、従来のような左右の係止具がそれぞれ別体で取り付けられる構造と比べて、左右の係止具４０，４０の取り付け高さ位置を一回の作業で揃えることができる。
【００４０】
図５に示すように、略コ字状の各脚柱１の断面視外向きの両フランジ１２，１２先端が係合部材３３の内壁面に当接し、脚柱１のフランジ１２，１２と略コ字状の各係合部材３３の断面視内向きの係止片３５，３５とが重合した状態となる。
【００４１】
このように各脚柱１の断面視外向きの両フランジ１２，１２を略コ字状の各係合部材３３の断面視内向きの係止片３５，３５で挟む構造とすることで、係合部材３３の座金片３４が係止具４０のリング４２を固定するための座金としても機能して、左右の係止具４０，４０が連結軸３１を中心に回動し易い効果がある。
【００４２】
図１及び図２に示す建物の壁Ｗに本梯子Ａを立て掛けて使用する際には、上記手順にしたがって梯子固定具３を上方から２段目に位置する踏桟２の両側の脚柱１，１に取り付けた後に、左右の係止具４０，４０を脚柱１の長手方向に対して角度６０度ほど傾倒させる。
【００４３】
梯子Ａを足場用のパイプ材に立て掛けて、傾倒した係止具４０，４０のフック４１，４１をパイプ材Ｐに係合させることで、良好な係合状態を得ることができる。したがって、作業者がはしごに昇降した際、横方向にぐらつくおそれがなくなり、安全に作業を行える効果がある。
【００４４】
なお、梯子固定具３は、建物の壁の高さに応じて、左右脚柱１，１の任意の高さ位置を変更して取り付けることができる。
【００４５】
［係止具の変形例］
係止具の変形例について図７を参照しつつ説明する。係止具の変形例については、上述した実施形態と同じ構成部分について同一符号を付して重複説明を省略する。
【００４６】
図７に示すように、係止具４０のフック４１の中途部分には、梯子立掛対象物の梯子立掛面に対して前方から当接する当接部４５が形成されている。この当接部４５は、直線状に形成されている。また、フック４１の先端には、梯子立掛対象物の上端部に対して上方から当接しつつ滑り止めとなる滑り止め部４６が形成されている。
【００４７】
例えば、梯子立掛対象物が厚みのある壁部の場合に、このような構成の係止具４０を用いることにより、係止具４０の当接部４５が壁部の前面に当接し、さらに、フック先端の滑り止め部４６が壁部の上端部に当接する状態となる。すなわち、係止具４０の当接部４５が壁部Ｗの前面に対して水平方向の力Ｆ１で押圧しつつ、滑り止め部４６が壁部Ｗの上端部に対して垂直方向の力Ｆ２で押圧することができる。このように係止具４０が壁部Ｗの前面及び上端部を同時に押圧することにより、厚みのある壁部であっても梯子を安全に固定することができる効果がある。
【００４８】
［梯子固定具の変形例］
梯子固定具の変形例について図８を参照しつつ説明する。梯子固定具の変形例については、上述した実施形態と同じ構成部分について同一符号を付して重複説明を省略する。
【００４９】
図８に示すように、梯子固定具３の係止具４０の基端に、連結軸３１への取付角度を設定可能とした取付角度設定部を設けることとした。この取付角度設定部は、係合部材３３の菊座３７と係止具４０の角度設定部４７とから構成される。
【００５０】
すなわち、係合部材３３における座金片３４には、放射状に凹凸が形成された菊座３７が設けられると共に、中央に挿通孔３６が形成される。
【００５１】
係止具４０には、梯子立掛対象物に係止するフック４１が形成され、連結軸３１を挿通するための環状のリング４２が形成される。このリング４２には、係合部材３３の菊座３７に嵌合しつつ回転角度を調節自在とする放射状に凹凸が形成された角度設定部４７を設けている。
【００５２】
したがって、係合部材３３の菊座３７に対して係止具４０の角度設定部４７を所定の角度に回転させることができる。
【００５３】
また、リング４２の側部には、係止具４０を係合部材３３に軸方向に付勢するためのリング形状のリングバネ５１を複数配設している。これら５枚のリングバネ５１は、連結軸３１の端部に挿着されている。
【００５４】
連結軸３１の最端部には、取っ手を有する締結部材５０が締結されており、締結部材５０を締緩することにより、リングバネ５１による軸方向の付勢力を強弱することができる。また、連結軸３１の端部には、１対の側面視段部３１ｂ，３１ｂが形成されて断面視略楕円形状をなしている。また、連結軸３１を挿通する係合部材３３の挿通孔３６の形状は、側面視凹部３１ｂに対応した断面視略楕円形状に形成されている。このような構成とすることで、連結軸３１を係合部材３３に挿通した際に連結軸３１と係合部材３３との互いの位置決めを装着するだけで行うことができる。
【００５５】
角度調整する際は、連結軸３１の端部から締結部材５０を緩めると、係止具４０を係合部材３３に付勢していたリングバネ５１による付勢力が弱まり、係合部材３３の菊座３７と係止具４０の角度設定部４７との嵌合状態が解除されて、係合部材３３の菊座３７に対しての係止具４０の角度設定部４７の嵌合位置を回転させながら所望の位置に変えることができる。したがって、係止具４０の取り付け角度を所望の角度に自由に設定することができる。
【００５６】
本発明は上述した実施形態に限定されるものではなく、本発明の要旨を逸脱しない範囲内で種々の改良、変形が可能であることはいうまでもない。
【符号の説明】
【００５７】
Ａ  梯子
Ｂ  脚座
１  脚柱
２  踏桟
３  梯子固定具
１１  ウェブ
１２  フランジ
１３  貫通孔
３１  連結軸
３２  固定用ナット
３３  係合部材
４０  係止具
５０  締結部材
【図１】
2011202363.tif 000003
【図２】
2011202363.tif 000004
【図３】
2011202363.tif 000005
【図４】
2011202363.tif 000006
【図５】
2011202363.tif 000007
【図６】
2011202363.tif 000008
【図７】
2011202363.tif 000009
【図８】
2011202363.tif 000010